(57)【要約】      （修正有）【課題】ビルトイン式ガスコンロに用いられたときに、開閉操作を容易に行うことができるガス栓を提供する。【解決手段】ガスコンロ２の継手３ｉにガス栓５を接続ナット５ｄを介して接続する。ガス栓５には、ガス栓５を開閉操作するための第１及び第２ハンドル５ｊ，５ｋを設ける。第１ハンドル５ｊは、筐体１の内部のうちのガスコンロ２より下側から回転操作することができるよう、下側に配置する。第２ハンドル５ｋは、ガスコンロ２のカバー４を取り外したとき、ガスコンロ２より上側の外部から回転操作することができるよう、上側に配置する。【選択図】図２
2014167372.tif 000002
【特許請求の範囲】
【請求項１】
内部に、両端部が開口したガス通路が形成されるとともに、上記ガス通路と交差し、一端部が開口した弁収容部が形成された栓本体と、上記弁収容部に回転可能に設けられ、上記ガス通路を開閉する弁体と、上記弁収容部の一端部が開口する上記栓本体の外部に回転可能に配置され、上記弁体に回転不能に連結されたハンドルと備えたガス栓において、
上記弁体の回転軸線方向における上記弁収容部の他端部が上記栓本体の外面に開口させられ、上記弁収容部の他端部が開口する上記栓本体の外部に副ハンドルが回転可能に配置され、この副ハンドルを介して上記弁体を開閉操作することができるよう、上記副ハンドルが上記弁体に回転不能に連結されていることを特徴とするガス栓。
【請求項２】
上面部及び前面部に開口部を有する筐体と、少なくとも下部が上記筐体の上記上面部の開口部から上記筐体内に挿入された状態で上記筐体に取り付けられたコンロ本体、及びこのコンロ本体を上方から覆うようにして上記筐体の上面部に着脱可能に取り付けられたカバーを有するガスコンロと、上記筐体の内部に配置され、上記コンロ本体に接続されたガス栓と、上記筐体の上記前面部の開口部を開閉する開閉体とを備えたビルトイン式ガスコンロにおいて、
上記ガス栓として請求項１に記載のガス栓が用いられ、
上記ハンドルと上記副ハンドルとのいずれか一方が上側に、他方が下側にそれぞれ位置した状態で、上記ガス栓が上記コンロ本体に接続され、
上記カバーを取り外したときに上記ハンドルと上記副ハンドルとのうちの上側に位置する上記一方を上記筐体の外部から上記上面部の開口部を介して回転操作することができるよう、当該一方が上記筐体の上記上面部の開口部から上方に露出した状態で上記ガス栓が配置されていることを特徴とするビルトイン式ガスコンロ。
【発明の詳細な説明】
【技術分野】
【０００１】
この発明は、ビルトイン式ガスコンロ等に用いるのに好適なガス栓、及びそのガス栓が用いられたビルトイン式ガスコンロに関する。
【背景技術】
【０００２】
一般に、ビルトイン式ガス栓は、下記特許文献１に記載されているように、筐体、ガスコンロ及びガス栓を有している。筐体は、内部が空洞の箱状をなしており、その上面部及び全面部に開口部が形成されている。ガスコンロは、ガスバーナ等の燃焼器が設けられたコンロ本体と、このコンロ本体を上方から覆うカバーとを有している。
【０００３】
ガスコンロのコンロ本体は、その下部が上面開口部から筐体内に挿入された状態で筐体の上面部に取り付けられている。カバーは、コンロ本体の上面部及び筐体の上面開口部を上方から覆うようにして筐体の上面部に着脱可能に取り付けられている。筐体の前面開口部は、扉等の開閉体によって開閉されるようになっている。ガス栓は、コンロ本体に接近した状態で筐体内に配置されており、コンロ本体に接続されている。
【０００４】
上記構成のビルトイン式ガスコンロにおいて、コンロ本体に接続されたガス栓のハンドルを回転操作（開閉操作）する場合には、まず筐体の前面開口部を開く。次に、作業者がその上半身を前面開口部から筐体内に挿入する。その状態でハンドルを回転操作する。なお、ハンドルの回転操作を行い易くするために、ハンドルは下側に位置させられている。
【先行技術文献】
【特許文献】
【０００５】
【特許文献１】特開２００８−１１３８１７号公報
【発明の概要】
【発明が解決しようとする課題】
【０００６】
上記従来のビルトイン式ガスコンロにおいては、ガス栓のハンドルの回転操作を行う度に作業者がその上半身を筐体内にその前面開口部から挿入しなければならず、ハンドルの回転操作に多大の労力を有するという問題があった。特に、筐体内にペットボトル等の各種の物品が収容されている場合には、その物品を出し入れしなければならず、より一層多くの手間を要するという問題があった。
【課題を解決するための手段】
【０００７】
上記の問題を解決するために、この出願の発明者が鋭意研究した結果、次の知見を得るに至った。すなわち、ガスコンロのカバーと取り外すと、筐体の上面開口部の一部が上方に向かって外部に開放され、ひいては筐体の内部の一部が上面開口部を介して上方に開放される。この開放された筐体の内部にガス栓を配置すれば、ハンドルが上面開口部を介して外部に露出し、ハンドルを操作することができる。しかし、ハンドルは、ガス栓の接続時には、作業者によるハンドル操作を行い易くするために、ハンドルが下側に位置させられている。したがって、ガス栓を上面開口部を介して上方外部に露出させただけではハンドルを回転操作することができない。そこで、ハンドルを上下に二つ設ければ、このような事態に対処することができるという点に思い至ったのである。
この発明は、上記の知見に基づいてなされたもので、第１の発明は、内部に、両端部が開口したガス通路が形成されるとともに、上記ガス通路と交差し、一端部が開口した弁収容部が形成された栓本体と、上記弁収容部に回転可能に設けられ、上記ガス通路を開閉する弁体と、上記弁収容部の一端部が開口する上記栓本体の外部に回転可能に配置され、上記弁体に回転不能に連結されたハンドルと備えたガス栓において、上記弁体の回転軸線方向における上記弁収容部の他端部が上記栓本体の外面に開口させられ、上記弁収容部の他端部が開口する上記栓本体の外部に副ハンドルが回転可能に配置され、この副ハンドルを介して上記弁体を開閉操作することができるよう、上記副ハンドルが上記弁体に回転不能に連結されていることを特徴としている。
また、第２の発明は、上面部及び前面部に開口部を有する筐体と、少なくとも下部が上記筐体の上記上面部の開口部から上記筐体内に挿入された状態で上記筐体に取り付けられたコンロ本体、及びこのコンロ本体を上方から覆うようにして上記筐体の上面部に着脱可能に取り付けられたカバーを有するガスコンロと、上記筐体の内部に配置され、上記コンロ本体に接続されたガス栓と、上記筐体の上記前面部の開口部を開閉する開閉体とを備えたビルトイン式ガスコンロにおいて、上記ガス栓として請求項１に記載のガス栓が用いられ、上記ハンドルと上記副ハンドルとのいずれか一方が上側に、他方が下側にそれぞれ位置した状態で、上記ガス栓が上記コンロ本体に接続され、上記カバーを取り外したときに上記ハンドルと上記副ハンドルとのうちの上側に位置する上記一方を上記筐体の外部から上記上面部の開口部を介して回転操作することができるよう、当該一方が上記筐体の上記上面部の開口部から上方に露出した状態で上記ガス栓が配置されていることを特徴としている。
【発明の効果】
【０００８】
上記特徴構成を有する第１及び第２の発明によれば、ハンドルと副ハンドルとのいずれか一方を筐体の内部から回転操作することができ、他方を筐体の上方外部から上面部の開口部を通して回転操作することができる。
【図面の簡単な説明】
【０００９】
【図１】図１は、の発明に係るビルトイン式ガスコンロの一実施の形態を示す斜視図である。
【図２】図２は、図１のＸ−Ｘ栓に沿う断面図である。
【図３】図３は、同実施の形成において用いられているガスコンロの分解斜視図である。
【図４】図４は、同ガスコンロのガスコンロ本体を示す平図である。
【図５】図５は、図４のＸ−Ｘ線に沿う拡大断面図である。
【図６】図６は、同実施の形態において用いられているガス栓を示す断面図である。
【図７】図７は、この発明に係るガス栓の他の実施の形態を示す断面図である。
【発明を実施するための形態】
【００１０】
以下、この発明を実施するための最良の形態を、図面を参照して説明する。
図１〜図６は、この発明に係るビルトイン式ガスコンロの第１実施の形態を示す。この実施の形態のビルトイン式ガスコンロＡは、筐体１、ガスコンロ２及びガス栓５を有している。
【００１１】
筐体１は、略直方体の箱状をなしており、その上面部には、上面開口部（上面部の開口部）１ａが形成され、その前面部には、前面上開口部１ｂ及び前面下開口部（前面部の開口部）１ｃが形成されている。これらの開口部１ａ〜１ｃにより、筐体１の内部が外部に開放されている。
【００１２】
筐体１の内部には、収容ボックス６が前後方向へ設けられている。収容ボックス６は、筐体１に対し前面下開口部１ｃを通って出没可能であり、その移動範囲は、閉位置と開位置との間に規制されている。収容ボックス６は、その前端部に前板部（開閉体）６ａを有している。この前板部６ａは、収容ボックス６が後方へ向かって所定位置まで移動すると筐体１に突き当たる。その結果、収容ボックス６がそれ以上後方へ移動することができなくなる。このときの収容ボックス６の位置が閉位置である。つまり、前板部６ａが筐体１に突き当たることによって収容ボックス６の閉位置が定められている。収容ボックス６が閉位置に位置すると、前面下開口部１ｃが前板部６ａによって閉じられる。収容ボックス６の開位置は、筐体１と収容ボックス６との間に設けられたストッパ機構（図示せず）によって定められている。収容ボックス６は、ストッパ機構による停止状態を解除することにより、筐体１から前面下開口部１ｃを通して外部に取り外し可能である。なお、筐体１の前面部に扉を水平方向へ回転可能に設け、この扉によって前面下開口部１ｃを開閉するようにしてもよい。その場合には、収容ボックス６が設けられることがなく、筐体１の内部の下端部に物品を載置するための下板部が設けられる。
【００１３】
ガスコンロ２は、図２及び図３に示すように、コンロ本体３及びカバー４を有している。コンロ本体３は、金属製の板材からなるものであり、上面部が開放された深さの浅い箱状に形成されている。コンロ本体３の上端部には、全周にわたって環状に延びるフランジ部３ａが形成されている。このフランジ部３ａには、パッキン３ｂが全周にわたって設けられている。パッキン３ｂは、ゴム等の比較的柔軟な樹脂によって構成されている。
【００１４】
コンロ本体３のフランジ部３ａより下側の部分は、上面開口部１ａから筐体１の内部に挿入されている。そして、フランジ部３ａが上面開口部３ａに隣接する筐体１の上面部にパッキン３ｂを介して載置されている。これにより、コンロ本体３が筐体１に上下方向へ着脱可能に取り付けられている。コンロ本体３の前端部は、筐体１の前面上開口部１ｂに挿入され、筐体１の前方に向かって露出されている。前方に露出したコンロ本体３の前面部には、後述するガスバーナ３ｃやグリル（図示せず）等の点火や消火のための摘み３ｄ及びグリルの開閉蓋３ｅが設けられている
【００１５】
コンロ本体３の内部には、ガスバーナ３ｃが手前側の左右両端部と後側の左右の中央部とにそれぞれ設けられている。手前側の中央部には、グリル（図示せず）が設けられている。コンロ本体３の後端部には、グリルの燃焼後の排気を外部に排出するための排気口３ｊが設けられている。
【００１６】
コンロ本体３の後側の左隅部は、フランジ部３ａを除いて切り落とされている。この切り落とされた部分は、コンロ本体３の内部空間に対し隔壁板３ｆによって離隔されている。この結果、コンロ本体３を平面視したとき、コンロ本体３の左隅部には、フランジ部３ａ及び隔壁板３ｆによって囲まれた略正方形状の設置空間３ｇが形成されている。設置空間３ｇは、コンロ本体３の右隅部に形成してもよく、後側中央のガスバーナ３ｃが設けられない場合には、当該後側の中央部に形成してもよい。
【００１７】
隔壁板３ｆのうちの左右方向に延びる部分には、挿通孔３ｈが形成されている。この挿通孔３ｈには、継手３ｉが挿入されている。継手３ｉの一端部（以下、上流側端部という。）は、挿通孔３ｈを通り抜けて設置空間３ｇ内に突出させられている。継手３ｉの他端部（下流側端部）は、ガス配管（図示せず）を介してガスバーナ３ｃ及びグリルに接続されている。継手３ｉの上流側端部は、必ずしも設置空間３ｇ内に突出させる必要がなく、コンロ本体３の内部に相通孔３ｈと対向させて配置してもよい。
【００１８】
カバー４は、金属製の板材からなるものであり、フランジ部３ａより一回り大きい外形寸法を有している。カバー４の外周部は、筐体１の上面部にパッキン３ｂを介して載置されている。これにより、カバー４がコンロ本体３に着脱可能に支持され、ひいては筐体１に着脱可能に支持されている。カバー４は、筐体１の上面部に直接載置してもよく、あるいはパッキン３ｂ及びフランジ部３ａを介して筐体１の上面部に載置してもよい。
【００１９】
カバー４がフランジ部３ａより一回り大きい外形寸法を有しているので、カバー４を筐体１に載置すると、上面開口部１ａ及びコンロ本体３全体が上方から目視することができないように覆われる。その結果、設置空間３ｇも上方から目視することができないように覆われる。逆に、カバー４を筐体１から取り外すと、設置空間３ｇが上面開口部１ａを介して上方に露出する。設置空間３ｇは、この実施の形態の場合、その全体が上方に露出するが、設置空間３ｇの一部だけを上方に露出させてもよい。
【００２０】
カバー４には、これを上下に貫通する貫通孔４ａが三つ形成されている。三つの貫通孔４ａは、三つのガスバーナ３ｃとそれぞれ上下に対向するように配置されている。カバー４の各貫通孔４ａが形成された各部には、五徳４ｂがそれぞれ設けられている。また、カバー４の後端部には、排気用のスリット４ｃが複数設けられている。排気口３ｊから排出された排気が、スリット４ｃを通ってガスコンロ２の外部に排出される。
【００２１】
ガス栓５は、Ｉ型ガス栓と称されるものであり、図２及び図４に示すように、設置空間３ｇ内に設けられている。ガス栓５は、直線状に延びる栓本体５ａを有している。栓本体５ａは、その長手方向を前後方向に向けて水平に配置されている。栓本体５ａの内部には、ガス通路５ｂ及び弁収容孔（弁収容部）５ｃが形成されている。
【００２２】
ガス通路５ｂは、栓本体５ａの長手方向の一端面から他端面まで延びている。ガス通路５ｂの一端部（図２及び図６において左端部；以下、上流側端部という。）には、接続機構７が設けられている。接続機構７は、ガス供給管としてのフレキシブルガス管Ｇをガス通路５ｂにワンタッチ操作で接続するためのものであり、公知の構造を有している。そこで、接続機構７についての詳細な説明は省略する。勿論、接続機構７に代えて他の公知の接続機構を採用してもよい。なお、フレキシブルガス管Ｇは、図２に示すように、筐体１の背板部１ｄを貫通しており、貫通後下方に向かって延びて戸外に設置された元栓（図示せず）に接続されている。
【００２３】
ガス通路５ｂの他端部（図２及び図６において右端部；以下、下流側端部という。）が開口する栓本体５ａの他端部外周面には、接続ナット５ｄが回転可能に、かつ気密に設けられている。接続ナット５ｄは、継手３ｉの設置空間３ｇ内に突出した上流側端部に螺合固定されている。この結果、フレキシブルガス管Ｇから供給されるガスが、ガス通路５ｂ、継手３ｉ及びガス配管を介してガスバーナ３ｃやグリルに供給される。
【００２４】
弁収容孔５ｃは、その長手方向をガス通路５ｂの長手方向と直交する方向に向けて設けられており、ガス通路５ｂとその長手方向の中間部において交差するように配置されている。弁収容孔５ｃがガス通路５ｂと交差する結果、ガス通路５ｂが、一端側（図６において左側）の上流側部分と他端側の下流側部分とに区分されている。
【００２５】
弁収容孔５ｃの長手方向の中央部には、テーパ孔部５ｅが形成されている。このテーパ孔部５ｅには、弁体５ｆがテーパ孔部５ｅの軸線（回転軸線）を中心として回転可能に嵌合されている。弁体５ｆは、図６に示す開位置とこの開位置から周方向へ９０°離間した閉位置との間を回転可能である。弁体５ｆには、その外周面の一側部から他側部まで延びる貫通孔５ｇが形成されている。弁体５ｆを開位置に回転させると、ガス通路５ｂの上流側部分と下流側部分とが貫通孔５ｇを介して連通する。この結果、ガス通路５ｂが開かれ、ガス栓５が開状態になる。弁体５ｆを閉位置に回転させると、ガス通路５ｂの上流側部分と下流側部分とが弁体５ｆによって遮断される。この結果、ガス通路５ｂが閉じられ、ガス栓５が閉状態になる。
【００２６】
弁収容孔５ｃの一端部は、栓本体５ａの一側部外面（図２及び図６において下側の外面）に開口させられている。弁収容孔５ｃの一端部が開口する栓本体５ａの一側部外面には、第１環状壁部５ｈが形成されている。第１環状壁部５ｈは、その軸線を弁収容孔５ｃの軸線と一致させて配置されている。弁収容孔５ｃの他端部は、栓本体５ａの他側部外面（図２及び図６において上側の外面）に開口させられている。弁収容孔５ｃの他端部が開口する栓本体５ａの他側部外面には、第２環状壁部５ｉが形成されている。第２環状壁部５ｉは、その軸線を弁収容孔５ｃの軸線と一致させて配置されている。
【００２７】
栓本体５ａの一側部側（下側）には、第１ハンドル（ハンドル）５ｊが設けられている。第１ハンドル５ｊは、長さが短い有底筒状に形成されており、その開口部を上方に向けて配置されている。第１ハンドル５ｊには、第１環状壁部５ｈが相対回転可能に挿入されている。それにより、第１ハンドル５ｊが栓本体５ａに対し弁収容孔５ｃの軸線を中心として回転可能になっている。第１ハンドル５ｊは、弁体５ｆの大径側の端部に回転不能に連結されている。したがって、第１ハンドル５ｊを回転操作することにより、弁体５ｆを閉位置と開位置との間において回転させることができる。
【００２８】
栓本体５ａの他側部側（上側）には、第２ハンドル（副ハンドル）５ｋが設けられている。第２ハンドル５ｋは、長さが短い有底筒状をなしており、その開口部を下方に向けて配置されている。第２ハンドル５ｋの底部の中央部には、断面円形の突出部５ｌが形成されている。この突出部５ｌの外周面と第２ハンドル５ｋの内周面との間の環状の隙間に第２環状壁部５ｉが相対回転可能に挿入されている。それにより、第２ハンドル５ｋが栓本体５ａに対し弁収容孔５ａの軸線を中心として回転可能になっている。第２ハンドル５ｋは、弁体５ｆの小径側の端部に回転不能に連結されている。したがって、第２ハンドル５ｋを回転操作することにより、弁体５ｆを閉位置と開位置との間において回転させることができる。なお、突出部５ｌの外周面と第２環状壁部５ｉの内周面との間が、Ｏリング等のシール部材５ｍによって封止されている。
【００２９】
上記構成のビルトイン式ガスコンロＡにおいて、ガスコンロ２にガス栓５を接続する場合には、予め筐体１にフレキシブルガス管Ｇを挿通し、そのフレキシブルガス管Ｇをガス栓５に接続しておく。この作業は、筐体１の上面開口部１ａを通して行うことができる。その後、筐体１にガスコンロ２を取り付ける。次に、上半身を前面下開口部１ｃから筐体１内に挿入する。そして、接続ナット５ｄを継手３ｉに螺合させて締め付ける。これにより、ガス栓５をガスコンロ２に接続する。ここで、ガス栓５は、第１ハンドル５ｊが下側に位置し、第２ハンドル５ｋが第１ハンドル５ｊの上側に位置した状態で接続する。その後、第１ハンドル５ｊを回転操作して弁体５ｆを開位置に回転させ、ガス栓５を開状態にする。この場合、第１ハンドル５ｊが下側に配置されているので、第１ハンドル５ｊを容易に操作することができる。
【００３０】
また、長期間の外出のために、ガス栓５を開状態から閉状態に切り換える場合には、カバー４を取り外し、設置空間３ｇを上方に開放する。すると、ガス栓５の第２ハンドル５ｋが上方に露出する。そこで、手を設置空間３ｇ内に上方から挿入する。設置空間３ｇは、上面開口部１ａ内に位置している。したがって、手は、設置空間３ｇに上面開口部１ａを介して挿入される。その後、第２ハンドル５ｋを回転操作して弁体５ｆを閉位置に回転させ、ガス栓５を閉状態にする。また、同様にして閉状態のガス栓５を開状態に切り換えることができる。
【００３１】
上記のように、ガス栓５の開閉操作に際しては、手を設置空間３ｇ内に上方から挿入すればよく、上半身を前面下開口部１ｃから筐体１内に挿入する必要がない。したがって、筐体１内の物品を出し入れする必要もない。よって、ガス栓５の開閉操作を容易に行うことができる。
【００３２】
なお、この実施の形態のビルトイン式ガスコンロＡにおいては、設置空間３ｇの大きさが、接続ナット５ｄを継手３ｉに接続するための作業を行うのに十分な大きさに設定されているので、ガス栓５のガスコンロ２への接続作業も設置空間３ｇを通して行うことができるが、通常は設置空間３ｇの平面視における大きさが、第２ハンドル５ｋの回転操作を行うことができるだけの小さなものとされる。したがって、ガス栓５のガスコンロ２への接続は、従来と同様に上半身を前面下開口部１ｃから筐体１内に挿入して行われる。
【００３３】
図７は、この発明に係るビルトイン式ガスコンロにおいて用いられるガス栓の他の例を示す。この例のガス栓５Ａにおいては、弁収容孔５ｃの上端部に環状突出部５ｎが形成されている。一方、弁体５ｆの上端面には、突出部５ｏが形成されている。この突出部５ｏは、環状突出部５ｎを回転可能に貫通して上方に突出している。突出部５ｃの外周面と環状突出部５ｎの内周面との間は、シール部材５ｍによって封止されている。環状突出部５ｎを貫通した突出部５ｏの上端部は、第２ハンドル５ｋに回転不能に連結されている。これにより、第２ハンドル５ｋが弁体５ｆに回転不能に連結されている。その他の構成は、上記実施の形態と同様である。
【００３４】
なお、この発明は、上記の実施の形態に限定されるものでなく、この発明の要旨を逸脱しない範囲において各種の変形例を採用することができる。
例えば、上記の実施の形態においては、ガス栓として、栓本体５ａ及びガス通路５ｂが直線状に延びるＩ型のガス栓５，５Ａが用いられているが、栓本体５ａ及びガス通路５ｂをその長手方向の一端部、他端部及び中央部のいずれかの箇所を水平面上において屈曲させ、栓本体５ａ及びガス通路５ｂをＬ字状に屈曲させてもよい。
また、弁体としてテーパ状の弁体５ｆが用いられているが、これに代えて球状の弁体を用いてもよい。
さらに、上記の実施の形態においては、第１ハンドル５ｊを下側に、第２ハンドル５ｋを上側にそれぞれ配置しているが、これとは逆に、第１ハンドル５ｊを上側に、第２ハンドル５ｋを下側にそれぞれ配置してもよい。
【符号の説明】
【００３５】
Ａ    ビルトイン式ガスコンロ
１    筐体
１ａ    上面開口部（上面部の開口部）
１ｃ    前面下開口部（前面部の開口部）
２    ガスコンロ
３    コンロ本体
４    カバー
５    ガス栓
５Ａ    ガス栓
５ａ    栓本体
５ｂ    ガス通路
５ｃ    弁収容孔（弁収容部）
５ｆ    弁体
５ｊ    第１ハンドル（ハンドル）
５ｋ    第２ハンドル（副ハンドル）
６ａ    前板部（開閉体）
【図１】
2014167372.tif 000003
【図２】
2014167372.tif 000004
【図３】
2014167372.tif 000005
【図４】
2014167372.tif 000006
【図５】
2014167372.tif 000007
【図６】
2014167372.tif 000008
【図７】
2014167372.tif 000009